(57)【要約】【課題】空調した部屋の空気を利用して別の部屋を簡易に空調することができる簡易空調システムを提供すること。【解決手段】空調源Ｃ１，Ｃ２によって空調された第１部屋Ｒの空気を空調されていない第２部屋Ｔに導入してこの第２の部屋を空調する簡易空調システム。第１部屋Ｒと第２部屋Ｔとを連通する送風路１と、送風路１を介して第１部屋Ｒの空気を第２部屋Ｔに送風するための送風ファン２を備えた送風装置１２と、第２部屋Ｔから第１部屋Ｒへの空気の逆流を防止する逆流防止手段３とが設けられている。逆流防止手段３は、送風ファン２の作動時に送風路１を開放し、その非作動時に送風路１を閉塞する。【選択図】      図１
2004245495.tif 000002
【特許請求の範囲】
【請求項１】
空調源によって空調された第１部屋の空気を空調されていない第２部屋に導入してこの第２の部屋を空調する簡易空調システムにおいて、
前記第１部屋と前記第２部屋とを連通する送風路と、前記送風路を介して前記第１部屋の空気を前記第２部屋に送風するための送風ファンを備えた送風装置と、前記送風路内に設けられ、前記第２部屋から前記第１部屋への空気の逆流を防止する逆流防止手段とを備え、前記逆流防止手段は、前記送風ファンの作動時に前記送風路を開放し、その非作動時に前記送風路を閉塞することを特徴とする簡易空調システム。
【請求項２】
前記逆流防止手段は、前記送風路を開閉するための遮蔽板と、前記遮蔽板を閉位置に向けて偏倚する偏倚手段から構成され、前記送風ファンの非作動時には、前記遮蔽板は前記偏倚手段の作用によって閉位置に保持され、前記送風ファンの作動時には、前記遮蔽板は前記送風ファンからの風圧により前記偏倚手段の偏倚力に抗して開放されることを特徴とする請求項１に記載の簡易空調システム。
【請求項３】
前記送風路には、前記第１部屋から前記第２部屋に向けて流路断面積が漸減している風圧上昇部が設けられており、前記風圧上昇部の下流端部に前記逆流防止手段が配設されていることを特徴とする請求項１又は２に記載の簡易空調システム。
【請求項４】
前記送風路の下流端部には送風ノズルが設けられ、前記送風ノズルの送風口に前記遮蔽板が開閉自在に設けられていることを特徴とする請求項２又は３に記載の簡易空調システム。
【請求項５】
前記送風路の下流端部に複数本の送風ノズルが設けられ、前記複数本の送風ノズルのうちの前記送風路の中央部に配置された送風ノズルは、それらの長さ寸法が前記送風路の外周部に配置された送風ノズルよりも長く形成されていることを特徴とする請求項４に記載の簡易空調システム。
【請求項６】
前記逆流防止手段は、前記送風路を開閉するための遮蔽板と、前記遮蔽板を開閉制御するための電磁ソレノイドとから構成されていることを特徴とする請求項２に記載の簡易空調システム。
【請求項７】
前記送風路は、前記第１部屋の壁面と第２部屋の壁面との間に設けられていることを特徴とする請求項１〜６のいずれかに記載の簡易空調システム。
【請求項８】
前記送風路は、前記第１部屋の天井裏から前記第２部屋の天井裏に延びる送風ダクトにより規定され、前記送風ダクトの一端側は前記送風装置に接続されており、前記送風ダクトの中間部又は前記送風装置に前記逆流防止手段が設けられていることを特徴とする請求項１〜７のいずれかに記載の簡易空調システム。
【請求項９】
前記送風ダクトの一端側は、前記第１部屋を空調するための前記空調源の吹出し口に連通されていることを特徴とする請求項８に記載の簡易空調システム。
【請求項１０】
前記第１部屋にはその温度を検知するための第１温度センサが設けられ、前記第２部屋にはその温度を検知するための第２温度センサが設けられ、前記空調源の暖房運転中において、前記第１温度センサの検知温度が前記第２温度センサの検知温度より所定温度以上高くなると、前記送風装置が作動して前記第１部屋の空気が前記第２部屋に導かれることを特徴とする請求項１〜９のいずれかに記載の簡易空調システム。
【請求項１１】
前記第２部屋はトイレ室であることを特徴とする請求項１〜１０のいずれかに記載の簡易空調システム。
【請求項１２】
送風ハウジングと、前記送風ハウジングに設けられた送風ダクトと、前記送風ハウジング内に配設された送風ファンと、を備えた送風装置において、
前記送風ダクトの先端部は、上端から下端に向けて送風方向下流側に突出するように斜めに傾斜して延びており、前記送風ダクトの先端部に遮蔽板が開閉自在に取り付けられていることを特徴とする送風装置。
【請求項１３】
前記送風ダクトの先端には半径方向外方に延びるフランジが設けられ、前記フランジの全面にシール部材が配設されており、また前記遮蔽板の外周部には前記フランジを覆うカバー部が設けられ、前記遮蔽板の内面が前記フランジの前記シール部材に圧接されることを特徴とする請求項１２記載の送風装置。
【発明の詳細な説明】
【０００１】
【発明の属する技術分野】
本発明は、二つの部屋の一方を空調し、他方の部屋を空調された部屋の空気を利用して空調を行う簡易空調システムに関する。
【０００２】
【従来の技術】
一般的に、一戸建てやマンションの一般家庭において、トイレ室は、冷暖房装置などの空調装置が設置されていない。そのため各家庭において電気ストーブや冷温風器をトイレ室に設置したり、あるいは最近は、トイレ室内を冷暖房するための機能を備えた便座を用いている（例えば、特許文献１参照）。また、このような専用の冷暖房装置を設置することなく、空調してある部屋の空気をダクトを通してトイレ室に供給してトイレ室を空調するようにしたものも提案されている（例えば、特許文献２参照）。
【０００３】
【特許文献１】
特開２００２−１４３０４０号公報
【特許文献２】
特開平９−２７３７６５号公報
【０００４】
【発明が解決しようとする課題】
トイレ室は、一般的にあまり広い空間を有さない。従って、従来の技術で述べたような冷暖房装置をトイレ室内に設置する場合、場所的な制約を受け、ますます狭苦しい環境になっていた。また、これらの冷暖房装置は即効性がないために、トイレを使用するときに作動させていては、すぐには暖房や冷房効果が上がらなかった。
【０００５】
また、特許文献１に示した便座一体型の冷暖房装置は、便座自身が大型になって使用者に圧迫感を与えるなどの問題がある。さらに、特許文献２に示したものは、部屋とトイレ室とが常に連通状態であるので、特に部屋の圧力が低いときには差圧によりトイレの空気（臭気等）が部屋に入り込むおそれがあり、トイレ室の空気が部屋に流入すると、その部屋の空気を汚すという問題がある。
【０００６】
本発明の目的は、空調した部屋の空気を利用して別の部屋を簡易に空調することができる簡易空調システムを提供するものである。
本発明の他の目的は、簡易空調システムに好都合に適用することができる送風装置を提供することである。
【０００７】
【課題を解決するための手段】
本発明は、空調源によって空調された第１部屋の空気を空調されていない第２部屋に導入してこの第２の部屋を空調する簡易空調システムにおいて、
前記第１部屋と前記第２部屋とを連通する送風路と、前記送風路を介して前記第１部屋の空気を前記第２部屋に送風するための送風ファンを備えた送風装置と、前記送風路内に設けられ、前記第２部屋から前記第１部屋への空気の逆流を防止する逆流防止手段とを備え、前記逆流防止手段は、前記送風ファンの作動時に前記送風路を開放し、その非作動時に前記送風路を閉塞することを特徴とする。
【０００８】
本発明に従えば、空調（冷暖房）された第１部屋と第２部屋、例えばトイレ室とが送風路を介して連通され、第１部屋の空気が送風装置によって送風路を介して第２部屋に供給されるので、第２部屋内は第１部屋と同様に空調された状態になり、この第１部屋と同じ温度に保つことができる。また、逆流防止手段が設けられ、この逆流防止手段は、送風ファンの作動時に送風路を開放し、非作動時に送風路を閉塞するので、送風していないときには逆流防止手段によって、第２部屋から第１部屋への空気の逆流が防止され、第１部屋の空気を汚すことがない。また、既設の住宅に送風路、送風装置及び逆流防止手段を取り付けることで、第２部屋のための空調機能を安価に装備させることができ、これによって、第２部屋のスペースを犠牲にすることもない。
【０００９】
また、本発明では、前記逆流防止手段は、前記送風路を開閉するための遮蔽板と、前記遮蔽板を閉位置に向けて偏倚する偏倚手段から構成され、前記送風ファンの非作動時には、前記遮蔽板は前記偏倚手段の作用によって閉位置に保持され、前記送風ファンの作動時には、前記遮蔽板は前記送風ファンからの風圧により前記偏倚手段の偏倚力に抗して開放されることを特徴とする。
【００１０】
本発明に従えば、逆流防止手段が遮蔽板とこの遮蔽板を閉位置に向けて偏倚する偏倚手段から構成されているので、送風ファンの非作動時には、偏倚手段によって遮蔽板が送風路を閉塞する閉位置に保持され、第２部屋から第１部屋への空気の逆流を防止することができる。また、送風ファンの作動時には、送風ファンからの風圧により遮蔽板が開放されるので、第１部屋からの空気が第２部屋に流れ、第１部屋の空気を利用して第２部屋を空調することができる。
【００１１】
また、本発明では、前記送風路には、前記第１部屋から前記第２部屋に向けて流路断面積が漸減している風圧上昇部が設けられており、前記風圧上昇部の下流端部に前記逆流防止手段が配設されていることを特徴とする。
【００１２】
本発明に従えば、送風路に風圧上昇部が設けられているので、この風圧上昇部において、第１部屋から第２部屋に流れる空気の風圧を増大させることができる。また、逆流防止手段がこの風圧上昇部の下流端部に配設されているので、充分な風圧が逆流防止手段に作用し、第１部屋から第２部屋に流れる空気流によって逆流防止手段を開放させることができる。
【００１３】
また、本発明では、前記送風路の下流端部には送風ノズルが設けられ、前記送風ノズルの送風口に前記遮蔽板が開閉自在に設けられていることを特徴とする。
【００１４】
本発明に従えば、送風路の下流端部に設けられた送風ノズルに遮蔽板が設けられているので、遮蔽板を小さくすることができ、各遮蔽板の取り付けが容易となる。
【００１５】
また、本発明では、前記送風路の下流端部に複数本の送風ノズルが設けられ、前記複数本の送風ノズルのうちの前記送風路の中央部に配置された送風ノズルは、それらの長さ寸法が前記送風路の外周部に配置された送風ノズルよりも長く形成されていることを特徴とする。
【００１６】
本発明に従えば、送風路を流れる空気流の風圧は、その中心部が外周部より高いので、送風路の外周部に配設された送風ノズルを短くし、その中央部に配設された送風ノズルを長くすることにより、第１部屋からの空気を全体的に均一な状態で第２部屋に供給することができる。
【００１７】
また、本発明では、前記逆流防止手段は、前記送風路を開閉するための遮蔽板と、前記遮蔽板を開閉制御するための電磁ソレノイドとから構成されていることを特徴とする。
【００１８】
本発明に従えば、逆流防止手段が遮蔽板とこれを開閉制御するための電磁ソレノイドから構成されているので、電磁ソレノイドの付勢、付勢停止によって送風路を開閉することができる。
【００１９】
また、本発明では、前記送風路は、前記第１部屋の壁面と第２部屋の壁面との間に設けられていることを特徴とする。
本発明に従えば、送風路が第１部屋及び第２部屋の壁面間に設けられているので、両部屋間に送風路を設けるという簡単な構成でもってこのシステムを設けることができる。
【００２０】
また、本発明では、前記送風路は、前記第１部屋の天井裏から前記第２部屋の天井裏に延びる送風ダクトにより規定され、前記送風ダクトの一端側は前記送風装置に接続されており、前記送風ダクトの中間部又は前記送風装置に前記逆流防止手段が設けられていることを特徴とする。
【００２１】
本発明に従えば、送風流路を規定する送風ダクトが天井裏を通して導かれるので、両部屋間の壁面に施工を施すことなく、天井裏空間を利用してこのシステムを設けることができる。また、このような構成では、逆流防止手段は送風ダクトの中間部又は送風装置に設けられる。
【００２２】
また、本発明では、前記送風ダクトの一端側は、前記第１部屋を空調するための前記空調源の吹出し口に連通されていることを特徴とする。
本発明に従えば、送風ダクトの一端側が空調源の吹出し口に連通されているので、空調源からの空気が直接的に送風ダクトを通して第２部屋に送給される。
【００２３】
また、本発明では、前記第１部屋にはその温度を検知するための第１温度センサが設けられ、前記第２部屋にはその温度を検知するための第２温度センサが設けられ、前記空調源の暖房運転中において、前記第１温度センサの検知温度が前記第２温度センサの検知温度より所定温度以上高くなると、前記送風装置が作動して前記第１部屋の空気が前記第２部屋に導かれることを特徴とする。
【００２４】
本発明に従えば、暖房運転中に第１部屋の温度（第１温度センサの検知温度）が第２部屋の温度（第２温度センサの検知温度）より所定温度（例えば３〜５℃程度に設定される）以上高くなると、送風装置が作動して第１部屋の空気が第２部屋に送給され、この第２部屋を自動的に空調することができ、例えば朝起きて第１部屋を暖房すると、第２部屋も同様に暖房される。
【００２５】
また、本発明では、前記第２部屋はトイレ室であることを特徴とする。
本発明に従えば、居間などの第１部屋の空気をトイレ室に送給してトイレ室を空調することができる。
【００２６】
また、本発明は、送風ハウジングと、前記送風ハウジングに設けられた送風ダクトと、前記送風ハウジング内に配設された送風ファンと、を備えた送風装置において、
前記送風ダクトの先端部は、上端から下端に向けて送風方向下流側に突出するように斜めに傾斜して延びており、前記送風ダクトの先端部に遮蔽板が開閉自在に取り付けられていることを特徴とする。
【００２７】
本発明に従えば、送風ダクトの先端部は、上端から下端に向けて送風方向下流側に突出するように斜めに傾斜して延びているので、遮蔽板はその自重を利用して送風ダクトの送風口を確実に閉塞し、従って外部から送風ハウジング内への逆流を確実に防止することができる。また、送風ファンによって送風するときには、その風圧によって遮蔽板が開放され、空気を送風ダクトを通して下流側に送給することができる。
【００２８】
更に、本発明では、前記送風ダクトの先端には半径方向外方に延びるフランジが設けられ、前記フランジの全面にシール部材が配設されており、また前記遮蔽板の外周部には前記フランジを覆うカバー部が設けられ、前記遮蔽板の内面が前記フランジの前記シール部材に圧接されることを特徴とする。
【００２９】
本発明に従えば、送風ダクトの先端にフランジが設けられ、このフランジにシール部材が配設されているので、遮蔽板の内面はこのシール部材に圧接され、これによって送風ダクトの送風口を確実に閉塞することができる。また、遮蔽板の外周部には送風ダクトのフランジを覆うカバー部が設けられているので、外部から送風口への空気の逆流を効果的に防止することができる。
【００３０】
【発明の実施の形態】
以下、添付図面を参照して、本発明に従う簡易空調システムの実施形態について説明する。図１は本発明に従う簡易空調システムの第１の実施形態の全体概略図であり、図２は図１の簡易空調システムの要部を示す拡大断面図であり、図３は図１の簡易空調システムの送風ノズル部分の正面図であり、図４は図３の送風ノズルの一部を示す拡大斜視図である。
【００３１】
第１の実施形態の簡易送風システムは、図１に示すように、空調源として冷房機Ｃ１及び暖房機Ｃ２が第１部屋Ｒ（例えば、居間、リビングなど）に設置され、冷房機Ｃ１によって室内の空気が冷房され、暖房機Ｃ２によって室内の空気が暖房される。このように、冷房機Ｃ１及び暖房機Ｃ２を別個に設置することに代えて、これらを兼用する冷暖房機を設置するようにしてもよい。
【００３２】
この簡易空調システムでは、第１部屋Ｒ内の空気を第２部屋Ｔ（例えばトイレ室）に導入してこの第２部屋内を冷房または暖房するものである。更に説明すると、この簡易空調システムは、第１部屋Ｒ内と第２部屋Ｔ内を連通する送風路１と、この送風路１を介して第１部屋Ｒ内の空気を第２部屋Ｔ内に送風する送風装置１２と、送風路１内に設けた逆流防止手段３とを備えている。
【００３３】
この送風路１は、第１部屋Ｒと第２部屋Ｔとの間に存在する家屋（一戸建て住宅、マンションなど）の壁面Ｐ，Ｐ間に設けられ、これら壁面Ｐ，Ｐ間の空間Ｄを通して配設された送風ダクト１４によって規定され、送風ダクト１４の一端部が第１部屋Ｒの壁面Ｐの開口に装着され、その他端部が第２部屋Ｔの壁面Ｐの開口に装着され、送風ダクト１４により規定される送風路１を介して第１部屋Ｒ及び第２部屋Ｔが連通される。第１部屋Ｒ側の開口部分には化粧パネル４ａが、また第２部屋Ｔ側にはガラリ４ｂが設けられ、これらを配設することによって、第１部屋Ｒ及び第２部屋Ｔ側からの見栄えをよくしている。送風ダクト１４は、例えば略１００〜３００ｍｍ程度の合成樹脂パイプまたは金属製パイプ又は可撓性パイプから構成される。
【００３４】
この送風ダクト１４内に、送風路１を流れる空気の風圧を上昇するための風圧上昇手段５が設けられている。図示の風圧上昇手段５は、第１部屋Ｒから第２部屋Ｔに流れる空気の圧力を高めて第２部屋Ｔへ空気を確実に供給するためであり、以下この風圧上昇手段５について説明する。
【００３５】
図示の風圧上昇手段５は、一端面（図１及び図２において左端面）が開口した貯留部５ａと、この貯留部５ａの他端面（図１及び図２において右端面）に植設され且つ貯留部５ａ内と連通する複数本の送風ノズル５ｂ，５ｂ，５ｂとから構成されている。風圧上昇手段５は、貯留部５ａを風路１ａを規定する送風ダクト１４の内周面に嵌合することにより、この送風ダクト１４内に取り付けられ、かく取り付けた状態では、その一端開口部が第１部屋Ｒに対向すると共に、その送風ノズル５ｂ，５ｂ，５ｂが第２部屋Ｔに向かって延出する。このように構成されるので、第１部屋Ｒの空気はすべて貯留部５ａに導入され、その後に送風ノズル５ｂ，５ｂ，５ｂから第２部屋Ｔに送風される。このように構成されているので、送風路１は、貯留部５ａ及び送風ノズル５ｂ，５ｂ，５ｂからなる風圧上昇手段５と、送風ダクト１４の風路１ａにより構成される。
【００３６】
この風路１ａを規定する送風ダクト１４は、次の通りにして取付施工するのが望ましい。即ち、送風タクト１４の両端部と第１及び第２部屋Ｒ，Ｔの壁面Ｐ，Ｐの開口との間に、接着剤、接着シール、シールパッキンなどを用いて接合するのが好ましく、このように施工することによって、壁面Ｐ，Ｐと送風ダクト１４との間の隙間を通しての音漏れや臭気漏れを防止することができる。
【００３７】
この実施形態では、複数本の送風ノズル５ｂ，５ｂ，５ｂのうち、その中央部にある送風ノズル５ｂ’は外周部の送風ノズル５ｂ，５ｂより長く形成され、送風ノズル５ｂ’は送風ノズル５ｂ，５ｂよりも下流側に延びている。これは各送風ノズル５ｂ’，５ｂ，５ｂからの空気の噴出量を均一にし、風路１ａを流れる空気流を均一にするためである。すなわち、貯留部５ａ内の風圧は中央部の方が外周部よりも高くなっているので、その中央部の送風ノズル５ｂ’の寸法を長くすることにより、他のノズル５ｂ，５ｂからの噴出量とバランスをとって全体的な噴出量を均一にし、これにより第２部屋Ｔに供給する送風を確実にしている。
【００３８】
送風装置１２は空気を送給するための送風ファン２を備え、送風ファン２は風圧上昇手段５の貯留部５ａ内に設けられ、モータにて所定方向に回転駆動され、かく送風ファン２が作動することによって、第１部屋Ｒの空気が、図２に矢印で示すように、化粧パネル４ａの周縁を通して吸引され、風圧上昇手段５（貯留部５ａ及び送風ノズル５ｂ，５ｂ，５ｂ）及び送風ダクト１４の風路１ａを通して第２部屋Ｔに送風される。
【００３９】
次に、逆流防止手段３について説明すると、図示の逆流防止手段３は、各送風ノズル５ｂ’，５ｂ，５ｂの先端送風口に揺動自在に取り付けられている。具体的には、図４に示すように、送風ノズル５ｂの先端に傾斜面６が設けられ、この傾斜面６は下方に行くに従いノズル寸法が長くなるように形成されている（即ち、上端から下端に向けて矢印で示す送給方向下流側に突出するように直線状に傾斜して延びている）。逆流防止手段３は、送風ノズル５ｂの先端送風口を開閉するための遮蔽板７を備え、この遮蔽板７の上端部が支軸７ａにより揺動自在に取り付けられている。逆流防止手段３は、更に、遮蔽板７を閉方向に偏倚するための偏倚手段（図示せず）を備え、この偏倚手段は遮蔽板７を閉位置に保持する。この閉位置においては、遮蔽板７が傾斜面６に圧接して保持され、送風ノズル５ｂの先端送風口を閉塞する。偏倚手段としては、例えば、ねじりコイルばねなどが用いられる。尚、遮蔽板７の自重により送風ノズル５ｂの先端送風口を充分に閉塞することができる場合、この偏倚手段を省略することができる。
【００４０】
この遮蔽板７は、アルミニウム、ステンレス鋼などの金属材料、合成樹脂材料などから薄板状に形成され、通常、偏倚手段（又は自重）により送風ノズル５ｂの先端送風口の傾斜面６に密着して送風路１を遮断するが、送風ファン２が作動して第１部屋１Ｒからの送風が行われると、送風ノズル５ｂを流れる空気の風圧に、支軸７ａを中心に上方に（傾斜面６から離れる方向に）揺動し、図４のように先端送風口を開放し、これによって、空気が第２部屋Ｔに向けて送給される。
【００４１】
各送風ノズル５ｂには、風圧上昇部１５が設けられている。風圧上昇部１５においては、流路断面積が下流側に向けて（第１部屋Ｒから第２部屋Ｔに向けて）漸減されており、従ってここを流れる空気は下流側に流れるに従いその圧力が高められ、そしてその下流端部（先端送風口部）まで流れると充分な風圧に高められ、かくして送風ノズル５ｂを流れる空気の風圧を利用して遮蔽板７を上方に揺動させて開放させることができる。
【００４２】
この送風ノズル５ｂに関連して、更に、次のように構成されている。送風ノズル５ｂの先端送風口の実質上全周に半径方向外方に延びるフランジが設けられ、このフランジの前面にゴムパッキン８が装着されている。一方、遮蔽板７の外周縁には、送風ノズル５ｂのフランジを覆うようにカバー部１７が設けられている。このように構成されているので、遮蔽板７が閉位置に保持された状態では、カバー部１７が送風ノズル５ｂのフランジを覆うとともに、遮蔽板７の内面がゴムパッキン８に圧接され、これによって、送風ノズル５ｂの先端送風口をより確実に閉塞することができる。なお、ゴムパッキング８は、送風ノズル５ｂの傾斜面６に対向する遮蔽板７の外周縁部に設けてもよく、フランジと遮蔽板７の双方に設けるようにしてもよい。
【００４３】
次に、上述した構成の簡易空調システムの使用状態について説明する。図１において、暖房機Ｃ２（又は冷房機Ｃ１）を使用している冬季（又は夏季）の場合について説明すると、部屋Ｒが暖房機Ｃ２（又は冷房機Ｃ１）によって暖房（又は冷房）されている。そして、この部屋Ｒの暖められた（又は冷たい）空気を第２部屋Ｔに供給して暖房するには、第１部屋Ｒ又は第２部屋Ｔに設置している操作スイッチ（図示せず）を操作して送風ファン２を動作させればよい。
【００４４】
送風ファン２を動作させると、第１部屋Ｒの空気は風圧上昇手段５の貯留部５ａに吸引され、この貯留部５ａを通して各送風ノズル５ｂ’，５ｂ，５ｂに流れ、それらの風圧上昇部１５を流れてその風圧が増大し、それらの先端送風口に設置した遮蔽板７，７，７を、上昇した風圧で押し広げて送風路１を開放し、図２に示すように風路１ａに噴出し、ガラリ４ｂを通して第２部屋Ｔに供給される。
【００４５】
この形態では、第２部屋Ｔはトイレ室であり、一般的に、トイレ室は第１部屋Ｒ、例えば居間、リビングなどに比べて容積が狭く、特に換気扇などを使用していないときは気圧が他の部屋より高くなる。この簡易空調システムでは、風圧上昇手段５により第２部屋Ｔ（トイレ室）に流れる空気の風圧を高めているので、遮蔽板７を開放させて第１部屋Ｒの空気を容易に第２部屋Ｔに供給でき、第２部屋Ｔを第１部屋Ｒと同じ温度にすることができるし、継続して送風ファン２を作動させることによって、第２部屋Ｔを第１部屋Ｒと同じ快適な空間に保つことができる。
【００４６】
送風ファン２の作動を止める（非動作にする）と、第１部屋Ｒから第２部屋Ｔへの空気の流れがなくなって風圧が作用しなくなるので、逆流防止手段３の遮蔽板７，７，７は偏倚手段（図示せず）の作用により閉方向に揺動し、各送風ノズル５ｂ’，５ｂ，５ｂの先端送風口が閉塞される。従って、第２部屋Ｔから第１部屋Ｒへの空気の逆流が遮蔽板７，７，７により遮断され、第１部屋Ｒへの逆流が防止される。
【００４７】
この実施形態では、操作スイッチを操作して送風装置１２を作動させているが、例えば、次のように構成して送風装置１２を自動的に作動させて第２部屋Ｔを空調するようにしてもよい。第１部屋Ｒにその室温を検知する第１温度センサを設け、第２部屋Ｔにその室温を検知する第２温度センサを設け、空調される第１部屋Ｒの室温（第１温度センサの検知温度）と第２部屋Ｒの室温（第２温度センサの検知温度）との温度が所定温度（例えば、３〜５℃に設定される）以上になると、送風装置１２を作動させるようにしてもよい。即ち、第１部屋Ｒを空調する空調源が暖房運転中（又は冷房運転中）においては、第１部屋Ｒの温度が第２部屋Ｔの温度より所定温度以上高くなる（又は低くなる）と、送風装置１２を作動させて送風ファン２を回転させ、第１部屋Ｒの暖かい空気（又は冷たい空気）を第２部屋Ｔに送給してこの第２部屋を自動的に空調するようにしてもよい。
【００４８】
図５は、風圧上昇手段の変形形態を示している。この変形形態では、風圧上昇手段５の風路の内径が、上流端部では大径に、中間部では中径に、下流端部では小径に形成され、その上流部（大径部と中径部との間）に第１風圧上昇部が設けられ、その下流部（中径部と小径部との間）に第２風圧上昇部が設けられ、上流端から下流端に流れる間に、空気流の風圧が２段階に増大されるように構成されている。このような風圧上昇手段５の先端部分に送風ノズル５ｂ’，５ｂ，５ｂが設けられているとともに、それらの送風口に遮蔽板７，７，７が設けられている。このように構成することにより、第１部屋Ｒから吸引した空気の圧力が２段階に上昇し、かく風圧が上昇した空気が逆流防止手段３の遮蔽板７に流れ、高い風圧でもって遮蔽板７に作用する。
【００４９】
図５の変形形態では、複数本の送風ノズル５ｂの各々に遮蔽板７を設けているが、このような送風ノズル５ｂを省略し、風圧上昇手段５の下流端部、即ち小径部の開口部に、これを開閉する大きな遮蔽板７を揺動自在に取り付けるようにしてもよい。
【００５０】
図６は、簡易空調システムの第２の実施形態を示しており、この第２の実施形態では、第１部屋Ｒと第２部屋Ｔの天井裏の空間Ｄ１を利用して送風ダクト８が設けられている。第１部屋Ｒの天井に送風装置１２が取り付けられ、第２部屋Ｔの天井にガラリ４ｂが設けられ、送風路を規定する送風ダクト８は、第１及び第２部屋Ｒ，Ｔの天井裏の空間Ｄ１を延び、その上流端部が送風装置１２に接続され、その下流端部が第２部屋Ｔのガラリ４ｂに接続されている。また、送風ダクト８内には逆流防止手段３が設けられている。このような送風ダクト８は、マンションなどのトイレの排気ダクトに使用されているのと同様な略１００ｍｍの径を有する可撓性パイプでよい。このような第２の実施形態においても、送風装置１２が作動して送風ファン（図示せず）が回転すると、第１部屋Ｒ内の空調された空気が送風ダクト８、逆流防止手段３及びガラリ４ｂを通して第２部屋Ｔに流れ、第１部屋Ｒの空気を利用して第２部屋Ｔを空調することができる。
【００５１】
図７は、簡易空調システムの第３の実施形態であり、送風ダクト８の一端側（上流端側）は、冷暖房される第１部屋Ｒに設置された空調源、この形態では冷房源Ｃ１の吹き出し口に連通されている。その他の構成は、図６に示す第２の実施形態と実質上同一である。このようなシステムでは、冷房機Ｃ１の吹出し口から吹き出された冷たい空気は、送風ダクト８を通して第２部屋Ｔに送給され、この第２部屋Ｔを冷房することができる。
【００５２】
図８は、簡易空調システムの第４の実施形態であり、第１部屋Ｒと第２部屋Ｔとが、送風路１を規定する送風パイプ１ｂにより連通されている。この送風パイプ１ｂは１００〜３００ｍｍ程度の大きさであり、送風装置１２から延びており、この送風装置１２のハウジング内に送風ファン２が配設され、また送風パイプ１ｂ内に風圧で開閉する遮蔽板７が支軸７ａを中心に揺動自在に枢支されている。送風装置１２のハウジングは大径の貯留部５ａになっており、ここに送風ファン２が設置されている。第１部屋Ｒからの空気は、この貯留部５ａで圧力が高められ、上昇した風圧で遮蔽板７を点線で示したように開放して第２部屋Ｔに供給するのである。送風ファン２の作動が停止すると、遮蔽板７は自重で下がって実線で示す閉状態になり、送風パイプ１ｂの送風路１を閉塞する。
【００５３】
この遮蔽板７の外周縁には、遮蔽効果を上げるために、遮蔽シール（図示せず）が取り付けられている。また、送風パイプ１ｂが第１部屋Ｒ及び第２部屋Ｔの壁面に貫通する部分には、防音及び防臭のために接着剤やシール材、パッキン材などが施されている。図８に示すような遮蔽板７を有する逆流防止手段３は、図６及び図７の実施形態における逆流防止蔽手段として用いることができる。
【００５４】
図９は、上述した簡易空調システムに好都合に用いることができる送風装置の一実施形態を示している。この送風装置２２は、箱状の送風ハウジング２４を備え、このハウジング２４の一面（図９において左面）に吸気口２５が設けられ、その他端面（図９において右面）に下流側に延びる送風ダクト２６が設けられている。送風ハウジング２４内には送風ファン２８が配設され、この送風ファンは電動モータ（図示せず）によって所定方向に回動される。
【００５５】
この送風ダクト２６の先端部に逆流防止手段としての遮蔽板３０が配設されている。遮蔽板３０はプレート状部材から構成され、その上端部が支持軸３２を介して送風ダクト２６に揺動自在に装着されている。送風ダクト２６の先端部は、上端から下端に向けて矢印３４で示す送風方向下流側に突出するように斜めに直線状に傾斜して延びており、従って、遮蔽板３０はその自重によって閉方向に揺動し、その自重を利用して図９に実線で示す閉位置に保持される。この閉位置においては、遮蔽板３０が送風ダクト２６に先端傾斜面に当接して送風口３６を閉塞する。また、送風ファン２８が回転して空気が矢印３４で示す方向に流れると、その風圧によって遮蔽板３０が支持軸３２を中心に上方に図９に二点鎖線で示す開位置に向けて揺動し、送風口３６が開放され、空気が下流側に送給される。
【００５６】
この遮蔽板３０に関連して、図４に示す実施形態と同様に構成される。即ち、送風ダクト２６の先端送風口２６に半径方向外方に延びるフランジ３８が設けられ、このフランジ３８の全面に、例えばゴム材料から形成されるシール部材４０が設けられている。一方、遮蔽板３０の外周部には、送風ダクト２６のフランジ３８を覆うようにカバー部４２が設けられている。このように構成することによって、閉状態においては、遮蔽板３０の内面がフランジ３８のシール部材４０に圧接され、これによって、送風ダクト２６の送風口３６を確実に閉塞することができる。また、この閉状態においては、遮蔽板３０のカバー部４２が送風ダクト２６のフランジ４０の外周側を覆い、これによって、外部から送風ダクト２６の送風口３６への空気の流入を確実に防止することができる。
【００５７】
このような送風装置２２を簡易空調システムに適用するには、図９に示すように、送風ハウジング２４が第１部屋Ｒの壁Ｐに取り付けられ、その吸気口２５が第１部屋Ｒに開口する。この吸気口２５には、化粧板４４が配設される。また、送風ダクト２６にはリング状のスペーサ部材４６が装着され、このスペーサ部材４６に主送風ダクト４８の一端部が装着され、その他端部が第２部屋（図示せず）に連通される。このように主送風ダクト４８を装着すると、この主送風ダクト４８内に遮蔽板３０が配置され、送風装置２２を含む空調システムの基本的構成は、図１又は図６に示す実施形態と実質上同一となり、上述した実施形態と同様に第２部屋を空調することができる。尚、この送風装置２２は、単独で用いることもできる。
【００５８】
以上、本発明に従う簡易空調システム及びこれに用いる送風装置の実施形態について説明したが、本発明はかかる実施形態に限定されるものではなく、本発明の範囲を逸脱することなく種々の変形ないし修正が可能である。
【００５９】
例えば、上述した実施形態では、逆流防止手段３の遮蔽板７を偏倚手段（又は自重）により閉状態に保持しているが、このような構成に代えて、送風ファン２の動作と連動して動作される電磁ソレノイドを用い、この電磁ソレノイドの動きを利用して遮蔽板７を揺動させるようにしてもよい。例えば、図８において、図示しないが、送風パイプ１ｂの外側に周知の電磁ソレノイド（図示せず）を取り付け、その電磁ソレノイドの駆動桿から延びた操作棒を送風パイプ１ｂ内に挿入して遮蔽板７に連結するようにする。そして、送風ファン２（モータ）を動作させたとき、この作動と連動して電磁ソレノイドを動作させて駆動桿を進退させ、この進退運動により操作棒を介して遮蔽板７を開閉するようにしてもよい。
【００６０】
【発明の効果】
本発明の請求項１の簡易空調システムによれば、空調された第１部屋と第２部屋とが送風路を介して連通され、第１部屋の空気が送風ファンによって送風路を介して第２部屋に供給されるので、第２部屋内は第１部屋と同様に空調された状態になり、この第１部屋と同じ温度に保つことができる。また、逆流防止手段が設けられ、この逆流防止手段は、送風ファンの作動時に送風路を開放し、非作動時に送風路を閉塞するので、送風していないときには逆流防止手段によって、第２部屋から第１部屋への空気の逆流が防止され、第１部屋の空気を汚すことがない。
【００６１】
また、本発明の請求項２の簡易空調システムによれば、送風ファンの非作動時には、偏倚手段によって遮蔽板が送風路を閉塞する閉位置に保持され、第２部屋から第１部屋への空気の逆流を防止することができる。また、送風ファンの作動時には、送風ファンからの風圧により遮蔽板が開放されるので、第１部屋の空気を利用して第２部屋を空調することができる。
【００６２】
また、本発明の請求項３の簡易空調システムによれば、送風路に風圧上昇部が設けられているので、この風圧上昇部において、第１部屋から第２部屋に流れる空気の風圧を増大させることができる。また、逆流防止手段がこの風圧上昇部の下流端部に配設されているので、充分な風圧が逆流防止手段に作用し、第２部屋に流れる空気流によって逆流防止手段を開放させることができる。
【００６３】
また、本発明の請求項４の簡易空調システムによれば、送風路の下流端部に設けられた送風ノズルに遮蔽板が設けられているので、遮蔽板を小さくすることができ、各遮蔽板の取り付けが容易となる。
【００６４】
また、本発明の請求項５の簡易空調システムによれば、送風路の中央部に配設された送風ノズルはその外周部に配設された送風ノズルよりも長いので、第１部屋からの空気を全体的に均一な状態で第２部屋に供給することができる。
また、本発明の請求項６の簡易空調システムによれば、電磁ソレノイドの付勢、付勢停止によって送風路を開閉することができる。
【００６５】
また、本発明の請求項７の簡易空調システムによれば、両部屋間に送風路を設けるという簡単な構成でもってこのシステムを設けることができる。
【００６６】
また、本発明の請求項８の簡易空調システムによれば、両部屋間の壁面に施工を施すことなく、天井裏空間を利用してこのシステムを設けることができる。
また、本発明の請求項９の簡易空調システムによれば、空調源からの空気を直接的に送風ダクトを通して第２部屋に送給することができる。
【００６７】
また、本発明の請求項１０の簡易空調システムによれば、暖房運転中に第１部屋の温度が第２部屋の温度より所定温度以上高くなると送風装置が作動するので、第２部屋を自動的に暖房することができる。
また、本発明の請求項１１記載の簡易空調システムによれば、他の部屋の空気を利用してトイレ室を簡易的に空調することができる。
【００６８】
また、本発明の請求項１２の送風装置によれば、遮蔽板の自重を利用して送風ダクトの送風口を確実に閉塞することができる。また、簡易空調システムの送風装置として好都合に用いることができる。
【００６９】
また、本発明の請求項１３の送風装置によれば、送風ダクトの送風口にフランジが設けられ、このフランジにシール部材が設けられているので、閉状態においては遮蔽板がシール部材に圧接され、送風口をより確実に閉塞することができる。また、遮蔽板のカバー部が送風ダクトのフランジを覆うので、送風口への空気の逆流を効果的に防止することができる。
【図面の簡単な説明】
【図１】本発明に従う簡易空調システムの第１の実施形態の全体概略図である。
【図２】図１の簡易空調システムの要部を示す拡大断面図である。
【図３】図１の簡易空調システムの送風ノズル部分の正面図である。
【図４】図３の送風ノズルの一部を示す拡大斜視図である。
【図５】風圧上昇手段の変形形態を示す側面図である。
【図６】本発明に従う簡易空調システムの第２の実施形態の全体概略図である。
【図７】本発明に従う簡易空調システムの第３の実施形態の全体概略図である。
【図８】本発明に従う簡易空調システムの第４の実施形態の全体概略図である。
【図９】本発明に従う送風装置の一実施形態を示す概略断面図である。
【符号の説明】
Ｒ  第１部屋部屋
Ｔ  第２部屋
Ｃ１  冷房機
Ｃ２  暖房機
１    送風路
２    送風ファン
３    逆流防止手段
５    風圧上昇手段
５ｂ，５ｂ’  送風ノズル
７    遮蔽板
８，１４    送風ダクト
２２  送風装置
２４  送風ハウジング
２６  送風ダクト
２８  送風ファン
３０  遮蔽板
【図１】
2004245495.tif 000003
【図２】
2004245495.tif 000004
【図３】
2004245495.tif 000005
【図４】
2004245495.tif 000006
【図５】
2004245495.tif 000007
【図６】
2004245495.tif 000008
【図７】
2004245495.tif 000009
【図８】
2004245495.tif 000010
【図９】
2004245495.tif 000011